(57)【要約】【課題】  立設及び分解移動が簡単にでき、立設状態で外力に対して高い安定性を有する着脱自在のフェンスを提供する。【解決手段】  筒体１０を所定間隔をもって埋設し、隣接するフェンス単体２０の隣接する２本の支柱を筒体に挿入し、その挿入された２本の支柱の上端部にキャップ１７を嵌合して分離不能に連結してなる。【選択図】      図１
2006063636.tif 000002
【特許請求の範囲】
【請求項１】
支柱立設用の筒体を所定間隔をもって埋設し、隣接するフェンス単体の隣接する２本の支柱を前記筒体に挿入し、その挿入された２本の支柱の上端部にキャップを嵌合してその２本の支柱を分離不能に連結してなる着脱自在のフェンス。
【請求項２】
筒体は、その上端開口を開閉するキャップを着脱自在に有し、そのキャップはフェンス非立設時の前記筒体の上端開口を閉塞するキャップと、フェンス立設時の前記筒体に挿入された２本の支柱の上端部に嵌合して連結するキャップとを兼ねるものであることを特徴とする請求項１に記載の着脱自在のフェンス。
【発明の詳細な説明】
【技術分野】
【０００１】
本発明は、所定の位置に立設したり、不要の時は撤去して別の場所に移動保管したりすることができる着脱自在のフェンスに関する。
【背景技術】
【０００２】
従来の着脱自在のフェンスは、フェンス単体の各支柱の下端部を、フェンス立設希望位置の地面に定置したコンクリートブロックなどの重りに設けた穴に差し込み、隣接する支柱を上下少なくとも２カ所において結束金具を用いて結束して、フェンスを立設していた。また、フェンスが不要な時、あるいは移設又は移動が必要な時は、結束金具を解放し、各支柱を重りの穴から抜き出し、重りを移設場所又は移動先に移動して定置し、再び、その重りの穴に各フェンス単体の支柱の下端部を差し込み、結束金具で結束して固定していた。
【特許文献１】特になし。
【発明の開示】
【発明が解決しようとする課題】
【０００３】
上記従来技術は、風その他の外力が加わっても転倒しないように立設するため、大きい重りを用いる必要があるから、場所移動が困難であるほか、支柱の差し込み又は抜き出しが面倒であるので、一般家庭や小事務所の道路と敷地に設けた例えば駐車場との境界に着脱式フェンスを設けることは普及していない。
【０００４】
しかしながら、道路に面する個人住宅や小事務所などの駐車場は、何らかの理由により一定期間閉鎖したい場合がある。あるいは、必要に応じて着脱式フェンスにより駐車場の面積の一部を閉鎖したり、開放したりしたい場合がある。このような一定の地域の閉鎖又は開放を簡単に行うことができる着脱式フェンスの市場への出現が待望されている。
【０００５】
本発明は、上記要望に応えようとするものである。すなわち、本発明が解決しようとする課題は、立設及び分解移動が簡単にでき、しかも、立設状態で外力に対して高い安定性を有する着脱自在のフェンスを提供することにある。
【課題を解決するための手段】
【０００６】
上記課題を解決するため、本発明による着脱自在のフェンスは、支柱立設用の筒体を所定間隔をもって埋設し、隣接するフェンス単体の隣接する２本の支柱を前記筒体に挿入し、その挿入された２本の支柱の上端部にキャップを嵌合して分離不能に連結してなることを特徴としている。
【０００７】
前記筒体は、その上端開口を開閉するキャップを着脱自在に有し、そのキャップはフェンス非立設時の前記筒体の上端開口を閉塞するキャップと、フェンス立設時の前記筒体に挿入された２本の支柱の上端部に嵌合して連結するキャップとを兼ねるものであることが望ましい。
【発明の効果】
【０００８】
請求項１の発明によれば、筒体は地中に埋設されているから、フェンス非立設時は障害物にならず、また、フェンスが立設されている間は、風などの外力に対して大きな耐力を有する。また、隣接するフェンス単体の隣接する２本の支柱の上端部がキャップを嵌合して連結されているから、フェンスが堅固である。そして、フェンスを取り外す時は、キャップを外し、支柱を筒体の穴から抜き出すことにより、簡単に分解して保管場所に容易に移動できる。
【０００９】
また、請求項２の発明によれば、キャップはフェンス非立設時の前記筒体の上端開口を閉塞するキャップと、フェンス立設時の前記筒体に挿入された支柱の上端部に嵌合して連結するキャップを兼ねるので、フェンス非立設時は筒体の上端開口をそのキャップで閉塞して異物の侵入を防ぐことができ、また、フェンス立設時は同じキャップを立設するフェンスの支柱の上端部の連結に利用することができるから、保管の手間が掛からないばかりでなく、紛失の煩わしさから免れ、かつ、部材削減によるコスト低減の効果が得られる。
【発明を実施するための最良の形態】
【００１０】
続いて、本発明の最良の実施の形態について、図面に基づいて説明する。
図１は本発明の着脱式フェンスの一実施の形態を示す正面図、図２は筒体の一部省略縦断面図、図３は図２のＸ−Ｘ線断面図、図４は図１のＹ−Ｙ線断面図、図５はフェンス単体の筒体及びキャップによる固定作用を説明する要部の断面図、図６は本発明の着脱式フェンスの一実施の形態を示す正面図である。
【００１１】
図１において、１０1，１０2，１０3〜１０n は、本発明の重要な構成要素の一つで ある支柱立設用の筒体である。この筒体は、いずれも同じ構造を有するので、その一つについて図２及び図３に基づいて説明すると、筒体１０は少なくとも上端部に開口を有する筒状に形成されており、筒体の上端部に嵌合して開口を閉塞するキャップ１７を着脱自在に備えている。好ましい実施態様においては、筒体１０は、図３に示すように、両端部に外向きフランジを有する横断面コ字形の二つの型材１１ａ，１１ｂをその開口が対向するように突き合わせ、フランジ同士をねじ１２で固着してなっている。そして、その開口の外側に、一例として、Ｌ字状部材１３ａ，１３ｂ及びねじ１４ａ，１４ｂにより方形環状の口金１５が固着されて、筒体の上端部との間に矩形に連続する嵌合溝１６が形成されて、その嵌合溝１６に凹部を下向きにした皿状のキャップ１７が嵌合して着脱自在に装着されている。なお、図１，図２の１８は、筒体１０の埋設状態を安定化するためのアンカーである。
【００１２】
上記筒体１０は、後述されるフェンス単体２０の長手方向両端部の支柱の間隔と等しい間隔をもって、フェンス立設位置に沿って地面に、その筒体の開口面及びキャップ１７が地面とほぼ面一になるように埋設される。
【００１３】
フェンスが立設されない場合は、いずれの筒体１０も、その開口がキャップ１７で閉塞された状態に放置される。従って、筒体が道路と例えば駐車場の境界に設置された場合は、道路からその駐車場への車の出入りを自由に行うことができる。
【００１４】
図１において、２０1，２０2，２０3〜２０nは通常のフェンス単体であり、その基本的構成は、パネル２１の左右両端部にパネルの上端部から若干上方に突出し、かつパネルの下方に延長する支柱２２ａ，２２ｂを有している。そして、各支柱は、その下部が他のもう１本の支柱と、一例として図示の例のように背中合わせの状態で、前記筒体１０の中に緊密に挿入することができる断面形状と大きさに形成されている。両端部の支柱間の部分のパネルの構造は任意であり、上下の横桟の間に縦格子を配設した格子パネル又はパンチングメタルもしくは目隠しパネルなどのいずれでも良い。
【００１５】
二つのフェンス単体を一つの共通な垂直面上において隣接した場合に背中合わせになった支柱２２ａ，２２ｂの上端部には、前記筒体１０から取り外したキャップ１７を緊密に嵌合して分離不能に連結することができるようになっている。
【００１６】
図１に示すように、右側終端のフェンス単体２０1 の右端の支柱２２ａを挿入される筒体１０1 及び左側終端のフェンス単体２０n の左端の支柱２２ｂを挿入される筒体１０n には、フェンス単体の支柱と同一断面形状を有する補助支柱２２Ｅの下部が挿入され、かつ、その上端部がそれぞれ隣接するフェンスの支柱の上端部とともにその筒体１０n のキャップ１７に嵌合されて連結される。
【００１７】
上述のようにして、筒体１０1，１０2，１０3〜１０nが予め設置されている場所にフェンスを立設したい場合は、各筒体１０のキャップ１７を取り外して、所定の場所に保管して置き、かつ、各筒体の中にフェンス単体の隣接する２本の支柱２２ａ，２２ｂを順次挿入し、背中合わせにされた２本の支柱２２ａ，２２ｂの上端部に前記キャップ１７を緊密に嵌合して連結固定するとともに、最右端及び最左端の筒体の開口にそれぞれ１本の補助支柱２２Ｅの下部を挿入し、かつ、その保持支柱の上端部と右端又は左端のフェンス単体の支柱の上端部に最後のキャップ１７を緊密に嵌合して連結することにより、フェンスの立設作業が完了する。
【００１８】
上記実施例によるフェンスは、オープンスペースに新設する場合に適切であるが、図６は、一例として、駐車場の既設の門扉又はシャッターを撤去した後、門扉又はシャッターの閉鎖位置に本発明によるフェンスを設ける場合の実施の態様を示す。すなわち、図示の例では、門柱又はシャッター収容体３０の下方に３個の筒体１０1，１０2，１０3が埋設 され、右側には２個の規格のフェンス単体２０1，２０2が立設され、左端の筒体１０3に は、２個目のフェンス単体２０2の左端支柱から門柱３０又はシャッター柱までの隙間の 距離に応じた幅と、１本の支柱２２ａのみを有する調整用フェンス体２０Ｅの支柱２２ａを挿入し、支柱２２ｂ，２２ａの上端部に同様のキャップ１７を嵌合して連結固定している。これにより、駐車場と道路の間の境界、あるいは広場や駐車場などの仕切りを設けたい場所ににフェンスを容易に設置することができる。
【００１９】
図１及び図６のいずれの実施の形態の場合も、上端部の各キャップ１７を取り外し、補助支柱２２Ｅ及び支柱２２ａ，２２ｂを順次筒体１０1，１０2，１０3から抜き出すこと により、容易にフェンスを撤去し、任意の場所に保管することができ、また、必要になったときに随意立設することができる
【００２０】
図２において、キャップ１７は筒体１０の上端部の嵌合溝１６に緊密に嵌合し、また、筒体１０に挿入された２本の支柱の上端部に緊密に嵌合するためには、２本の支柱の筒体１０に挿入される部分の外形よりも２本の支柱の上端部における外形が若干大きくなければならない。図４に示す例では、フェンス単体の少なくとも各支柱２２ａ，２２ｂの外表面に木調の模様色彩を備えるために、アルミ形材２２１の外側に木粉入り樹脂形材２２２で被覆してある。そして、図５に示すように、外側の形材２２２を支柱の筒体１０に挿入される部分よりも上側で終止させることにより、上記の外形上の要件を満たしている。また、図２に示すように、キャップの嵌合凹部の縦面にテーパ１７ｔを設けることにより、寸法上の若干の誤差に対応できるようにしてある。これにより、組み付け上の誤差又は熱変形に左右されずに、キャップの確実かつ緊密な嵌合が可能とされている。
【図面の簡単な説明】
【００２１】
【図１】本発明の着脱式フェンスの一実施の形態を示す正面図。
【図２】筒体の一部省略縦断面図。
【図３】図２のＸ−Ｘ線断面図。
【図４】図１のＹ−Ｙ線断面図。
【図５】フェンス単体の筒体及びキャップによる固定作用を説明する要部の断面図。
【図６】本発明の着脱式フェンスの一実施の形態を示す正面図。
【符号の説明】
【００２２】
１０，１０1，１０2…１０n     筒体
１７                          キャップ
２０，２０1，２０2…２０n     フェンス単体
２２ａ，２２ｂ                支柱
【図１】
2006063636.tif 000003
【図２】
2006063636.tif 000004
【図３】
2006063636.tif 000005
【図４】
2006063636.tif 000006
【図５】
2006063636.tif 000007
【図６】
2006063636.tif 000008